(57)【要約】本発明は一種のスチームアイロンに関する。その中には少なくとも、ホルダーと、ハンドルと、機械ポンプとがあり、そのなかで、ホルダーにはスチーム発生装置と貯水タンクがある。ハンドルはホルダーと接続し、それに、ハンドルには収容空間と、それに前記収容空間を囲んだ外殻とがある。機械ポンプはハンドルの収容空間に設置され、その中で、機械ポンプはスチーム発生装置と、それに貯水タンクと接続し、それに、機械ポンプの水汲み部材は外殻に隣接する。本発明にはより短い水汲み部材を有す機械ポンプを提供し、それに、前記機械ポンプをハンドルの裏に取り合わせ、機械ポンプの水汲み部材がハンドルの裏に隠されることによって、水汲み部材を押す時、指を上げてから水汲み部材を押すまでもなく、ユーザーは容易に力を加えるが、そして、普通のスチームアイロンが使いにくいという問題を解決する。【選択図】図２Ａ
2011514170.tif 000002
【特許請求の範囲】
【請求項１】
その中には少なくとも、一つのホルダーと、前記ホルダーには一つのスチーム発生装置と一つの貯水タンクがあり、
前記ホルダーと接続した一つのハンドルと、前記ハンドルには一つの収容空間と、それに前記収容空間を囲んだ一つの外殻とがあり、
一つの機械ポンプとあり、機械ポンプは前記ハンドルの収容空間に設置され、その中で、前記機械ポンプは前記スチーム発生装置と、それに前記貯水タンクと接続し、それに、前記機械ポンプの水汲み部材は前記外殻に隣接するスチームアイロン。
【請求項２】
前記水汲み部材は前記外殻から突き出ていないことを特徴とする請求項１に記載のスチームアイロン。
【請求項３】
前記水汲み部材は前記ハンドルの外殻に向かって設置されることを特徴とする請求項２に記載のスチームアイロン。
【請求項４】
前記ハンドルはソフトハンドルであることを特徴とする請求項３に記載のスチームアイロン。
【請求項５】
前記ハンドルの表面には一つのケース体が移動できるように設置され、前記ケース体は前記機械ポンプの水汲み部材に隣接することを特徴とする請求項３に記載のスチームアイロン。
【請求項６】
前記ハンドルは硬質ハンドルであることを特徴とする請求項５に記載のスチームアイロン。
【請求項７】
前記機械ポンプの長さは１０ｍｍ〜１５ｍｍであることを特徴とする請求項１〜請求項６のいずれか一項に記載のスチームアイロン。
【請求項８】
前記機械ポンプの直径は２０ｍｍ〜３５ｍｍであることを特徴とする請求項７に記載のスチームアイロン。
【請求項９】
前記機械ポンプの水汲み部材は前記外殻に接触することを特徴とする請求項９に記載のスチームアイロン。
【請求項１０】
前記機械ポンプの水汲み部材は前記外殻に接触することを特徴とする請求項１〜請求項６のいずれか一項に記載のスチームアイロン。
【発明の詳細な説明】
【技術分野】
【０００１】
本発明はスチームアイロンに関する、とくに機械ポンプの水汲み部材が前記ハンドルの外殻の裏に隠されるように設置されたスチームアイロンに関する。
【背景技術】
【０００２】
図１に示すように、従来のスチームアイロンの断面図である。前記スチームアイロン１００にはホルダー１１０と、ハンドル１２０と、それに機械ポンプ１３０とがあり、その中で、ホルダー１１０にはスチーム発生装置１１２と、それに貯水タンク１１４とがある。ハンドル１２０はホルダー１１０と接続し、機械ポンプ１３０はハンドル１２０とホルダー１１０の間に設置され、その中で、機械ポンプ１３０はスチーム発生装置１１２と、それに貯水タンク１１４と接続し、貯水タンク１１４の水をスチーム発生装置１１２に輸送し、スチームを発生する。
しかし、前記スチームアイロンにはまだいくつかの不便なところがあり、たとえば、機械ポンプ１３０の水汲み部材１３２はハンドル１２０の上から突き出て、ある距離離れて、ユーザーはハンドルを手に持って、アイロンをかけると、指を上げてから水汲み部材１３２が押されるようになるが、実際に使用すると、使いにくいと感じられる。そのほか、ハンドル１２０から突き出た水汲み部材１３２が原因で、スチームアイロン１００の外観デザインは割と流線型ないと感じられ、だから、従来のスチームアイロン１００はなかなかユーザーの要求を満たすことができない。
【発明の概要】
【発明が解決しようとする課題】
【０００３】
本発明の目的として、一種のスチームアイロンを提供し、水汲み部材を押すとき、使いにくいという従来のスチームアイロンの問題を解決し、ユーザーの実際要求に満足できる。
【課題を解決するための手段】
【０００４】
本発明は以下の技術手段を採用し、
スチームアイロンには少なくとも、ホルダーと、ハンドルと、それに機械ポンプとがあり、その中で、ホルダーにはスチーム発生装置と、貯水タンクとがある。ハンドルはホルダーと接続し、その中で、ハンドルには収容空間と、それに収容空間を囲んだ外殻とがある。機械ポンプはハンドルの収容空間に設置され、その中で、機械ポンプはスチーム発生装置と、それに貯水タンクと接続し、それに、機械ポンプの水汲み部材は外殻に隣接する。本発明にはより短い水汲み部材を有す機械ポンプを提供し、それに、前記機械ポンプをハンドルの裏に取り合わせ、機械ポンプの水汲み部材がハンドルの裏に隠されることによって、水汲み部材を押す時、指を上げてから水汲み部材を押すまでもなく、ユーザーは容易に力を加えるが、そして、普通のスチームアイロンが使いにくいという問題を解決する。
前記ハンドルの外殻は前記機械ポンプを囲んでいる。
前記水汲み部材は前記外殻から突き出ていない。
前記水汲み部材は前記ハンドルの外殻に向かって設置される。
前記ハンドルはソフトハンドルであることもある。
前記ソフトハンドルの材料は合成ゴムである。
前記ハンドルの表面には一つのケース体が移動できるように設置され、前記ケース体は前記機械ポンプの水汲み部材に隣接する。
前記ハンドルは硬質ハンドルである。
前記機械ポンプの長さは１０ｍｍ〜１５ｍｍである。
前記機械ポンプの直径は２０ｍｍ〜３５ｍｍである。
前記機械ポンプの水汲み部材は前記外殻に接触する。
本発明のスチームアイロンは、より短い水汲み部材を有す一つの機械ポンプをデザインし、それに、前記機械ポンプの水汲み部材をハンドルの裏に隠し、そして、ふつうのスチームアイロンを使うとき、水汲み部材を押しにくいという問題を解決するだけでなく、アイロンの外観デザインも流線形にできる。本発明のアイロンの特長として、より短い水汲み部材を有す機械ポンプを提供し、機械ポンプの水汲み部材の走行距離を減少できるが、ポンプの水汲み能力を減らすどころか、それに、ポンプとともに、その水汲み部材をアイロンのハンドルの裏に隠すことができ、そして、ユーザーの要求を満たすこともできる。
【図面の簡単な説明】
【０００５】
以下で図と実施例を開示し、本発明をいっそう詳しく説明する。
【図１】従来のスチームアイロンの断面図をしめす。
【図２Ａ】本発明の一つの好ましい実施例におけるスチームアイロンの断面図をしめす。
【図２Ｂ】本発明のまた一つの好ましい実施例におけるスチームアイロンの断面図をしめす。
【図３】本発明のもう一つの好ましい実施例におけるスチームアイロンの断面図を示す。
【発明を実施するための形態】
【０００６】
図２Ａに示すように、本発明の一つの好ましい実施例におけるスチームアイロン２００の断面図である。スチームアイロン２００には、ホルダー２１０と、ハンドル２２０と、それに機械ポンプ２３０とがあり、ホルダー２１０にはスチーム発生装置２１２と、貯水タンク２１４とがある。ハンドル２２０はホルダー２１０と接続し、そのなかで、ハンドル２２０には収容空間２２２と、それに収容空間２２２を囲んだ外殻２２４とがある。機械ポンプ２３０はハンドル２２０の収容空間２２２に設置され、その中で、機械ポンプ２３０はスチーム発生装置２１２と、それに貯水タンク２１４と接続し、貯水タンク２１４の水をスチーム発生装置２１２に輸送し、スチームを発生する。本実施例には、ハンドル２２０の外殻２２４は機械ポンプ２３０を囲んで、ポンプ２３０の水汲み部材２３２は外殻２２４に隣接し、それに、外殻２２４から突き出ていない。また、機械ポンプ２３０の水汲み部材２３２は外殻２２４に接触してもよい。本発明の一つの特長として、機械ポンプ２３０の形を変え、ポンプ２３０の長さＬを従来の４０ｍｍから１０ｍｍ〜１５ｍｍに短縮し、それに、その直径Ｄを従来の１０ｍｍから２０ｍｍ〜３５ｍｍに拡大し、そして、機械ポンプ２３０の水汲み能力を減らすどころか、ポンプ２３０の水汲み部材２３２の長さを短くすることによって、機械ポンプ２３０の水汲み部材２３２をハンドル２２０の裏に隠すことができる。本実施例には、前記ハンドル２２０はソフトハンドルで、前記ソフトハンドルの材料は合成ゴムである。そのほか、ソフトハンドルの変形性能によって、ユーザーは機械ポンプ２３０の水汲み部材２３２の上にあったハンドル２２０を指で押すと、ハンドル２２０の変形することによって、ハンドル２２０の下に隠した水汲み部材２３２をおすことができる。特に、図２Ａに示すように、機械ポンプ２３０の水汲み２３２は上に向かって設置されてもよいが、図２Ｂに示すように、機械ポンプ２３０の水汲み２３２は下に向かって設置されてもよい。それだけでなく、機械ポンプ２３０の水汲み２３２はほかの方向に向かって設置されてもよい、ただハンドル２２０の外殻２２４に向って設置されるだけでよい。
図３に示すように、本発明のまた一つの好ましい実施例におけるスチームアイロン３００の断面図である。スチームアイロン３００には、ホルダー３１０と、ハンドル３２０と、それに機械ポンプ３３０とがあり、ホルダー３１０にはスチーム発生装置３１２と、貯水タンク３１４とがある。ハンドル３２０はホルダー３１０と接続し、そのなかで、ハンドル３２０には収容空間３２２と、それに収容空間３２２を囲んだ外殻３２４とがある。機械ポンプ３３０はハンドル３２０の収容空間３２２に設置され、その中で、機械ポンプ３３０はスチーム発生装置３１２と、それに貯水タンク３１４と接続し、貯水タンク３１４の水をスチーム発生装置３１２に輸送し、スチームを発生する。本実施例には、ハンドル３２０の外殻３２４は機械ポンプ３３０を囲んで、それに、前記ハンドル３２０の表面３２０Ａには一つのケース体３２４Ａが移動できるように設置され、それに、機械ポンプ３３０の水くみ部材３３２は可動ケース体３２４Ａに隣接する。ユーザーはケース体３２４Ａに指で押し、ケース体３２４Ａを下へ移動し、機械ポンプ２３０の水汲み部材２３２に接触すると、機械ポンプ２３０は水汲みを始める。本実施例には、前記ハンドル３２０は硬質ハンドルで、その材料はポリプロピレン（ＰＰ）であるが、これに限定されるものではなく、ソフトハンドルでも使える。そのほか、前記機械ポンプ３３０の形は前記実施例と似ていて、ここでは詳しく説明していない。
以上のように、本発明のスチームアイロンの特長として、より短い水くみ部材を有す機械ポンプが設置され、前記ポンプをハンドルの裏に組み合わせ、機械ポンプの水くみ部材がハンドルの裏に隠されることによって、水くみ部材を押すと、指を上げてから水汲み部材を押すまでもなく、ユーザーは容易に力を加えられ、普通のスチームアイロンが使いにくいという問題を解決する。だから、本発明はほかの従来スチームアイロンと比べると、機械ポンプの水汲み部材がハンドルの裏に隠されることによって、普通のスチームアイロンを使うとき、水汲み部材を押しにくいという問題を解決するだけでなく、アイロンの外観デザインを流線形にさせる。
【産業上の利用可能性】
【０００７】
以上に述べた本発明の好ましい実施例によって、本発明のスチームアイロンを使うと、より短い水汲み部材を有す機械ポンプはポンプの水汲み性能を減らすどころか、ポンプとともに、その水汲み部材をアイロンのハンドルの裏に隠すことができ、そして、ユーザーの要求を満たすことができる。
以上のように、本発明でただ好ましい実施例を開示したが、本発明のデザインアイディアはこれに限定されるものではなく、当業者が本発明のアイディアと範囲に基づいて色々変形させることは可能であり、それらは本発明の請求項の保護範囲から排除するものではない。
【図１】
2011514170.tif 000003
【図２Ａ】
2011514170.tif 000004
【図２Ｂ】
2011514170.tif 000005
【図３】
2011514170.tif 000006
【国際調査報告】
2011514170.tif 000007
2011514170.tif 000008
2011514170.tif 000009
2011514170.tif 000010
2011514170.tif 000011
2011514170.tif 000012